(57)【特許請求の範囲】
【請求項１】
コピー可能回数の制限されたコンテンツを所定の区間に分割し、前記区間ごとに前記コピー可能回数を記録し、前記コピー可能回数に基づいて前記区間のコピーまたは再生を制御するコンテンツ記録装置であって、
前記区間が、前記コンテンツ内の相対位置を指定可能なアドレスによって特定され、
前記コンテンツ内におけるコピーまたは再生しようとする位置のアドレスに対応する区間の前記コピー可能回数に基づいて前記コンテンツ内における位置のコピーまたは再生を制御し、
前記コピー可能回数が、所定の値以上でないときにコピーまたは再生せず、
前記コンテンツが、前記コンテンツの再生時間情報であるタイムスタンプを含むコンテンツファイルとして記録された後に分割され、
前記区間ごとに、各区間の始点と終点における前記タイムスタンプが記録され、
前記コンテンツ内におけるコピーまたは再生しようとする位置のアドレスに対応する区間の始点と終点におけるタイムスタンプと、前記コンテンツに対応するコンテンツファイルのコピーまたは再生しようとする位置に記録されているタイムスタンプとに基づいて前記区間のコピーまたは再生を制御することを特徴とする、コンテンツ記録装置。
【請求項２】
前記コンテンツに対応するコンテンツファイルのコピーまたは再生しようとする位置に記録されているタイムスタンプが、前記コンテンツ内におけるコピーまたは再生しようとする位置のアドレスに対応する区間の始点と終点におけるタイムスタンプの間にないときにコピーまたは再生をしないことを特徴とする、請求項１記載のコンテンツ記録装置。
【発明の詳細な説明】
【技術分野】
【０００１】
本発明は、装置外へのコピー可能回数の制限されたコンテンツを記録し、管理するコンテンツ記録装置に関する。
【背景技術】
【０００２】
コンテンツの不正コピーを防止するため、デジタル放送ではコンテンツのコピー可能回数を制限する情報を付した放送が行われている。このようなコンテンツを記録するコンテンツ記録装置では、残りコピー可能回数を管理しつつ装置外へのコピーを行うことが必要となる。例えば、特許文献１には、コピー回数が制限されているデジタルコンテンツを異なる機器間で適正にコピー又は移動することができるデジタルコンテンツ再生システムが提案されている。
【０００３】
【特許文献１】特開２００７−３１８６６９号公報
【発明の開示】
【発明が解決しようとする課題】
【０００４】
特許文献１に記載のデジタルコンテンツ再生システムにコピー可能回数の制限されたコンテンツを記録して装置外にコピーを行う場合、１つのコンテンツの一部をコピーしただけで全体のコピー可能回数が減少してしまうため、コピーの対象としていない部分についてはコピーしていないにもかかわらずコピー可能回数が減少することになる。すなわち、本来認められているコピー回数分コピーすることができなくなり、ユーザの使い勝手が大きく損なわれる。
【０００５】
そこで、本発明は、コピー可能回数を制限されたコンテンツの一部区間のみを装置外にコピーした場合に、コピーしていない区間のコピー可能回数を正しく管理することのできるコンテンツ記録装置を提供することを目的とする。
【課題を解決するための手段】
【０００６】
本発明のコンテンツ記録装置は、コピー可能回数の制限されたコンテンツを所定の区間に分割し、前記区間ごとに前記コピー可能回数を記録し、前記コピー可能回数に基づいて前記区間のコピーまたは再生を制御するコンテンツ記録装置であって、前記区間が、前記コンテンツ内の相対位置を指定可能なアドレスによって特定され、前記コンテンツ内におけるコピーまたは再生しようとする位置のアドレスに対応する区間の前記コピー可能回数に基づいて前記コンテンツ内における位置のコピーまたは再生を制御し、前記コピー可能回数が、所定の値以上でないときにコピーまたは再生せず、前記コンテンツが、前記コンテンツの再生時間情報であるタイムスタンプを含むコンテンツファイルとして記録された後に分割され、前記区間ごとに、各区間の始点と終点における前記タイムスタンプが記録され、前記コンテンツ内におけるコピーまたは再生しようとする位置のアドレスに対応する区間の始点と終点におけるタイムスタンプと、前記コンテンツに対応するコンテンツファイルのコピーまたは再生しようとする位置に記録されているタイムスタンプとに基づいて前記区間のコピーまたは再生を制御することを特徴とする。
【発明の効果】
【０００８】
本発明によれば、コピー可能回数を制限されたコンテンツの一部区間のみを装置外にコピーした場合に、コピーしていない区間のコピー可能回数を正しく管理することのできるコンテンツ記録装置を提供することができる。
【発明を実施するための最良の形態】
【０００９】
以下、図面を参照して本発明を実施するための最良の形態について詳細に説明する。本実施形態では、コンテンツ記録装置が記録したコンテンツを区間に分割して、区間ごとにコピー可能回数を管理する。
【００１０】
図１は、本実施形態のコンテンツ記録装置の構成を示す図である。図１を参照すると、本実施形態のコンテンツ記録装置１０は、コンテンツ記録部１１、コピー情報管理部１２およびコンテンツ書込部１３を有する。コンテンツ記録装置１０は、コンテンツ記録部１１に記録されたコンテンツをコンテンツ書込部によって装置外にコピーするものであり、具体的にはハードディスクレコーダやパーソナルコンピュータなどが該当する。
【００１１】
コンテンツ記録部１１は、コンテンツ記録装置１０に入力されたコンテンツをファイルとして記録するものであり、具体的にはハードディスクドライブ装置などの不揮発性記憶装置が該当する。コンテンツ記録部に記録されるコンテンツは、少なくともコピー可能回数が限定されたコンテンツであり、具体的にはデジタル放送の受信コンテンツが該当するがこれに限らない。
【００１２】
コピー情報管理部１２は、コンテンツ記録部１１に記録されたコンテンツのコピー情報を管理するものであり、具体的には専用の集積回路や、所定のソフトウェアを実行するマイクロプロセッサにより構成可能である。コピー情報管理部１２に管理されるコンテンツのコピー情報とは、コンテンツの区間ごとのコピー可能回数である。
【００１３】
コンテンツ書込部１３は、コンテンツ記録部１１に記録されたコンテンツを装置外にコピーする。装置外へのコピーとは、例えば書込可能な光ディスク媒体への書込、メモリカードへの書込、不揮発性記憶領域を有する携帯端末の不揮発性記憶領域への書込など、コンテンツ記録装置１０以外の装置でコンテンツを利用可能にする行為である。コンテンツ書込部１３は、具体的には、光ディスクドライブ装置、メモリカードリーダライタ、ＵＳＢなどの携帯端末との通信インタフェースなどが該当する。
【００１４】
次に、図２から図５を参照して、コンテンツ記録装置１０の動作を説明する。図２は、コンテンツ記録装置１０がコンテンツを記録するときの動作を説明する図である。図２を参照すると、コンテンツ記録部１１は、コンテンツ記録装置１０に入力されたコンテンツをファイルとして記録する（ステップＳ１１）。
【００１５】
続いて、コンテンツ記録装置１０は、コンテンツ記録部１１より、記録されたコンテンツの先頭と末尾のアドレスを取得する（ステップＳ１２）。ここで、アドレスとは、コンテンツ内における相対位置を指定可能な番地であり、例えば、コンテンツ記憶部１１のファイルシステム上のコンテンツファイルにおける相対位置を示す番地とすることができる。
【００１６】
次に、コピー情報管理部１２は、ステップＳ１２で取得したコンテンツのアドレスに対応するコピー可能回数を初期化して記憶する（ステップＳ１３）。コピー可能回数は、コンテンツに含まれて入力されるときはその回数で初期化すればよく、コンテンツに含まれないときはコンテンツ記録装置１０に予め設定した既定値やユーザが入力した値で初期化すればよい。また、コンテンツの途中でコピー可能回数が変更になった場合は、その時点でコンテンツの記録を一旦終了して変更後のコンテンツを新規に記録してもよいし、後述するコンテンツを分割するときの動作によってコンテンツを分割してもよい。
【００１７】
続いて、コピー情報管理部１２は、記録されたコンテンツファイルに含まれるタイムスタンプを、コンテンツファイルの始点と終点について、ステップＳ１２で取得したコンテンツのアドレスに対応づけて記憶する（ステップＳ１４）。タイムスタンプは、デジタル放送コンテンツの場合、通常はコンテンツに含まれて入力されるが、そうでないコンテンツであっても、ステップＳ１１においてタイムスタンプをコンテンツファイルに含めてコンテンツ記録部１１に記録するように構成することができる。
【００１８】
図３は、コンテンツ記録装置１０がコンテンツを分割するときの動作を説明する図である。まず、コンテンツ記録装置１０は、ユーザの操作により、または所定の規則に基づいて自動的に、コンテンツファイルを分割してコンテンツ記録部１１に記録する（ステップＳ２１）。所定の規則とは、例えば一定時間ごと、シーンチェンジごと、無音検出ごとなどである。すなわち、コンテンツ分割は、ユーザが指示したとき、または、所定のタイミングで行われる。所定のタイミングとは、記録直後、記録から一定時間後、コンテンツ記録装置１０のアイドル時などである。
【００１９】
次に、コンテンツ記録装置１０は、コンテンツ記録部１１より、分割して記録されたコンテンの区間ごとに、先頭と末尾のアドレスを取得する（ステップＳ２２）。続いて、コピー情報管理部１２は、ステップＳ２２で取得したコンテンツの区分ごとのアドレスに対応するコピー可能回数を、コンテンツファイルに対応するコピー可能回数を継承して記憶する（ステップＳ２３）。
【００２０】
次に、コピー情報管理部１２は、記録されたコンテンツファイルに含まれるタイムスタンプを、ステップＳ２２で取得したコンテンツの区間の始点と終点について、区間ごとのアドレスに対応づけて記憶する（ステップＳ２４）。
【００２１】
図４は、コンテンツ記録装置１０がコンテンツを再生するときの動作を説明する図である。まず、コンテンツ記録装置１０は、コンテンツ記録部１１から、再生するコンテンツのアドレスおよびコンテンツファイルのタイムスタンプを取得する（ステップＳ３１）。次に、コピー情報管理部１２は、ステップＳ３１で取得したアドレスが含まれる区間に対応するコピー可能回数を取得し、これが所定の閾値以上であるかを判断する（ステップＳ３２）。所定の閾値とは、例えば０として設定することができる。ステップＳ３２で、取得されたコピー可能回数が所定の閾値以上でないと判断されたときのステップＳ３５の処理については後述する。
【００２２】
ステップＳ３２で取得されたコピー可能回数が所定の閾値以上であると判断されたとき、コピー情報管理部１２は、ステップＳ３１で取得した再生するコンテンツファイルのタイムスタンプが、ステップＳ３１で取得したアドレスが含まれる区間の始点と終点に対応するタイムスタンプの間にあるかを判断する（ステップＳ３３）。ステップＳ３３で、再生するコンテンツファイルのタイムスタンプが、ステップＳ３１で取得したアドレスが含まれる区間の始点と終点に対応するタイムスタンプの間にないと判断されたときのステップＳ３５の処理については後述する。この判断ステップを設け、コンテンツの改ざんを検査することで、同一コンテンツ内でコピー回数の多い箇所と少ない箇所とを入れ替えて編集することによるコピー可能回数制限を超えた不正なコピーを禁止することができる。
【００２３】
ステップＳ３３で、再生するコンテンツファイルのタイムスタンプが、ステップＳ３１で取得したアドレスが含まれる区間の始点と終点に対応するタイムスタンプの間にあると判断されたとき、コンテンツ記録装置１０は、コンテンツの再生を行う（ステップＳ３４）。
【００２４】
ステップＳ３２で、取得されたコピー可能回数が所定の閾値以上でないと判断されたとき、または、ステップＳ３３で、再生するコンテンツファイルのタイムスタンプが、ステップＳ３１で取得したアドレスが含まれる区間の始点と終点に対応するタイムスタンプの間にないと判断されたとき、コンテンツ記録装置１０は、コンテンツの再生を行わない（ステップＳ３５）。ここで、コンテンツ記録装置１０は、再生自体を停止してもよく、対応する区間の再生を行わない、すなわち、コピー情報管理部１２が管理する次の区間までスキップをするようにしてもよい。さらに、コピー可能回数が閾値以上でないとき（ステップＳ３２からの分岐）と、タイムスタンプが範囲内にないとき（ステップＳ３３からの分岐）とで処理を異ならせる、例えばコピー可能回数が閾値以上でないときに次の区間までスキップし、タイムスタンプが範囲内にないときに再生を停止するように構成することができる。
【００２５】
図５は、コンテンツ記録装置１０がコンテンツをコピーするときの動作を説明する図である。ステップＳ４１、Ｓ４２、Ｓ４３は、コンテンツ記録装置１０がコンテンツを再生するときの動作におけるＳ３１、Ｓ３２、Ｓ３３とほぼ同様であるので、説明を省略する。
【００２６】
ステップＳ４３で、コピーするコンテンツファイルのタイムスタンプが、ステップＳ４１で取得したアドレスが含まれる区間の始点と終点に対応するタイムスタンプの間にあると判断されたとき、コンテンツ書込部１３は、コンテンツの書込を行う（ステップＳ４４）。
【００２７】
続いて、コピー情報管理部１２は、現在コピーしている区間の終点に到達したかを判断する（ステップＳ４５）。区間の終点に到達していないときは、何も行わない。区間の終点に到達したときは、コピー情報管理部１２は、その区間のコピー可能回数を１減少させる（ステップＳ４６）。なお、区間の一部でもコピーを行うとすぐにコピー可能回数を減少させるように構成することも可能である。
【００２８】
ステップＳ４２で、取得されたコピー可能回数が所定の閾値以上でないと判断されたとき、または、ステップＳ４３で、コピーするコンテンツファイルのタイムスタンプが、ステップＳ４１で取得したアドレスが含まれる区間の始点と終点に対応するタイムスタンプの間にないと判断されたとき、コンテンツ書込部１３は、コンテンツの書込を行わない（ステップＳ４７）。このとき、コピーの中止とコピーのスキップを選択的に実行可能であることは、ステップＳ３５と同様である。さらに、ステップＳ４２でコピー可能回数が所定の閾値以上でないときに、コピー対象区間を削除するように構成することも可能である。
【図面の簡単な説明】
【００２９】
【図１】本実施形態のコンテンツ記録装置の構成を示す図である。
【図２】本実施形態のコンテンツ記録装置がコンテンツを記録するときの動作を説明する図である。
【図３】本実施形態のコンテンツ記録装置がコンテンツを分割するときの動作を説明する図である。
【図４】本実施形態のコンテンツ記録装置がコンテンツを再生するときの動作を説明する図である。
【図５】本実施形態のコンテンツ記録装置がコンテンツをコピーするときの動作を説明する図である。
【符号の説明】
【００３０】
１０  コンテンツ記録装置
１１  コンテンツ記録部
１２  コピー情報管理部
１３  コンテンツ書込部
【図１】
0005198115.tif 000002
【図２】
0005198115.tif 000003
【図３】
0005198115.tif 000004
【図４】
0005198115.tif 000005
【図５】
0005198115.tif 000006